(57)【特許請求の範囲】
【請求項１】
一又は複数の第１セルを形成する一又は複数の第１基地局と、前記第１セルと同じ下りリンク周波数を用いる同一周波数の第２セルを形成する一又は複数の第２基地局と、前記第１セルと異なる下りリンク周波数を用いる異周波数の第３セルを形成する一又は複数の第３基地局とを備え、前記第１セル、前記第２セル及び前記第３セルが互いに少なくとも一部重複しているオーバレイセル構成の通信システムであって、
前記同一周波数の第２セルに接続している移動局が報告した前記同一周波数で測定された受信品質のレベルの測定結果及び受信対象セルのセル識別子を含む測定報告（ＭＲ）に、前記第１セルのセル識別子が含まれているとき、当該測定報告（ＭＲ）に含まれている前記第１セルからの信号の受信品質のレベルの測定値に基づいて、異周波数測定開始の判定に用いる判定用パラメータの値を変更するか否かを判断する手段と、
前記判断の結果に基づいて前記判定用パラメータの値を変更する手段と、
を備えることを特徴とする通信システム。
【請求項２】
請求項１の通信システムにおいて、
前記移動局から前記測定報告（ＭＲ）にて報告された前記第１基地局からの受信品質のレベルの測定結果が、前記移動局が接続している接続中の前記第２セルの異周波数測定開始閾値よりも大きい場合、前記判定用パラメータの値を変更する判断をする、ことを特徴とする通信システム。
【請求項３】
請求項１又は２の通信システムにおいて、
前記判定用パラメータは、前記第１セルからの信号の受信品質のレベルの測定値と比較する異周波数測定開始閾値、前記第１セルからの信号の受信品質のレベルの測定値に対して加算又は減算する受信品質オフセット、又は、その両方であることを特徴とする通信システム。
【請求項４】
請求項１乃至３のいずれかの通信システムにおいて、
前記同一周波数の第２基地局は、
自局に接続している移動局から、前記同一周波数で測定された受信品質のレベルの測定結果及び受信対象セルのセル識別子を含む測定報告（ＭＲ）を受信する手段と、
前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる判定用パラメータの値を変更するか否かを判断する手段と、
前記判断の結果に基づいて、前記判定用パラメータの値を変更する手段と、
前記変更後の判定用パラメータの値を、自局に接続している移動局に通知する手段と、
を備えることを特徴とする通信システム。
【請求項５】
請求項４の通信システムにおいて、
前記同一周波数の第２基地局は、
前記移動局から前記測定報告（ＭＲ）にて報告された前記第１基地局からの受信品質のレベルの測定結果が、前記移動局が接続している接続中の前記第２セルの異周波数測定開始閾値よりも大きい場合、前記判定用パラメータの値を変更する判断をする、ことを特徴とする通信システム。
【請求項６】
請求項４又は５の通信システムにおいて、
前記同一周波数の第２基地局は、
前記判定用パラメータの値を変更した後、自局に接続している移動局から、前記第１セルのセル識別子が含まれている前記測定報告（ＭＲ）を所定回数受信したとき、自局の第２セルから前記第１セルへのハンドオーバを要求するコマンドを前記移動局に送信する手段を備えることを特徴とする通信システム。
【請求項７】
請求項６の通信システムにおいて、
前記同一周波数の第２基地局は、前記第１セルのセル識別子が含まれている前記測定報告（ＭＲ）を一定期間内に所定回数受信したとき、自局の第２セルから前記第１セルへのハンドオーバを要求するコマンドを前記移動局に送信することを特徴とする通信システム。
【請求項８】
請求項１又は２の通信システムにおいて、
前記第２基地局を管理する管理装置を備え、
前記管理装置は、
前記同一周波数の第２セルに接続している移動局が報告した前記同一周波数で測定された受信品質のレベルの測定結果及び受信対象セルのセル識別子を含む測定報告（ＭＲ）を取得する手段と、
前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２基地局に設定されている異周波数測定開始の判定に用いる判定用パラメータの値を変更するか否かを判断する手段と、
前記判断の結果に基づいて、前記判定用パラメータの値を変更する手段と、
前記変更後の判定用パラメータの値を、前記同一周波数の第２セルに接続している移動局に通知する報知情報として、前記同一周波数の第２基地局に設定する手段と、
を備えることを特徴とする通信システム。
【請求項９】
請求項４乃至８のいずれかの通信システムにおいて、
前記変更後の判定用パラメータの値を、前記同一周波数の第２セルに接続している複数の移動局のうち、前記第１セルのセル識別子が含まれている測定報告（ＭＲ）を送信してきた、異周波数測定開始閾値を変更する判断をされた移動局の一部又は全部に通知する、ことを特徴とする通信システム。
【請求項１０】
請求項１乃至９のいずれかの通信システムにおいて、
異周波数測定開始閾値を上げることで、前記異周波数測定開始のタイミングを早くすることを特徴とする通信システム。
【請求項１１】
請求項１乃至９のいずれかの通信システムにおいて、
異周波数測定開始閾値を下げることで、前記異周波数測定開始のタイミングを遅くするように前記判定用パラメータの値を変更する、ことを特徴とする通信システム。
【請求項１２】
請求項１乃至１１のいずれかの通信システムにおいて、
前記判定用パラメータの値は、周波数リソース空き状況に基づいて動的に変更する、ことを特徴とする通信システム。
【請求項１３】
請求項１乃至１２のいずれかの通信システムにおいて、
前記判定用パラメータの値は、前記第１セルを形成する第１基地局の通信容量の負荷状況の変化に基づいて動的に変更する、ことを特徴とする通信システム。
【請求項１４】
請求項１乃至１３のいずれかの通信システムにおいて、
前記第１セルへの接続を優先したいエリアについては、前記判定用パラメータの値を変更しない、ことを特徴とする通信システム。
【請求項１５】
一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、前記第２セルを形成する基地局であって、
自局に接続している移動局から、前記同一周波数で測定された受信品質のレベルの測定結果及び受信対象セルのセル識別子を含む測定報告（ＭＲ）を受信する手段と、
前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる判定用パラメータの値を変更するか否かを判断する手段と、
前記判断の結果に基づいて前記判定用パラメータの値を変更する手段と、
前記変更後の判定用パラメータの値を、自局に接続している移動局に通知する手段と、
を備えることを特徴とする基地局。
【請求項１６】
一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、基地局を管理する管理装置であって、
前記同一周波数の第２セルに接続している移動局が報告した前記同一周波数で測定された受信品質のレベルの測定結果及び受信対象セルのセル識別子を含む測定報告（ＭＲ）を取得する手段と、
前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２セルを形成する第２基地局に設定されている異周波数測定開始の判定に用いる判定用パラメータの値を変更するか否かを判断する手段と、
前記判断の結果に基づいて、前記判定用パラメータの値を変更する手段と、
前記変更後の判定用パラメータの値を、前記同一周波数の第２セルに接続している移動局に通知する報知情報として、前記同一周波数の第２基地局に設定する手段と、
を備えることを特徴とする管理装置。
【請求項１７】
一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、移動局のハンドオーバを制御するハンドオーバ制御方法であって、
前記同一周波数の第２セルに接続している移動局が報告した前記同一周波数で測定された受信品質のレベルの測定結果及び受信対象セルのセル識別子を含む測定報告（ＭＲ）を取得することと、
前記測定報告（ＭＲ）に前記第１セルのセル識別子が含まれているとき、当該測定報告（ＭＲ）に含まれている前記第１セルからの信号の受信品質のレベルの測定値に基づいて、異周波数測定開始の判定に用いる判定用パラメータの値を変更するか否かを判断する手段と、
前記判断の結果に基づいて、前記判定用パラメータの値を変更することと、
を含むことを特徴とするハンドオーバ制御方法。
【請求項１８】
一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、前記第２セルを形成する基地局に備えるコンピュータ又はプロセッサにおいて実行されるプログラムであって、
自局に接続している移動局から、前記同一周波数で測定された受信品質のレベルの測定結果及び受信対象セルのセル識別子を含む測定報告（ＭＲ）を受信するためのプログラムコードと、
前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる判定用パラメータの値を変更するか否かを判断するためのプログラムコードと、
前記判断の結果に基づいて、前記判定用パラメータの値を変更するためのプログラムコードと、
前記変更後の判定用パラメータの値を、自局に接続している移動局に通知するためのプログラムコードと、
を有することを特徴とするプログラム。
【請求項１９】
一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において基地局を管理する管理装置に備えるコンピュータ又はプロセッサにおいて実行されるプログラムであって、
前記同一周波数の第２セルに接続している移動局が報告した前記同一周波数で測定された受信品質のレベルの測定結果及び受信対象セルのセル識別子を含む測定報告（ＭＲ）を取得するためのプログラムコードと、
前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２セルを形成する第２基地局に設定されている異周波数測定開始の判定に用いる判定用パラメータの値を変更するか否かを判断するためのプログラムコードと、
前記判断の結果に基づいて、前記判定用パラメータの値を変更するためのプログラムコードと、
前記変更後の判定用パラメータの値を、前記同一周波数の第２セルに接続している移動局に通知する報知情報として、前記同一周波数の第２基地局に設定するためのプログラムコードと、
を有することを特徴とするプログラム。
【発明の詳細な説明】
【技術分野】
【０００１】
本発明は、オーバレイセル構成における通信システム、基地局、移動局、管理装置、ハンドオーバ制御方法及びプログラムに関するものである。
【背景技術】
【０００２】
近年、災害や圏外解消への対策として、航空機、人工衛星、ＨＡＰＳ、気球、ヘリコプター、ドローンなどの飛行体に組み込まれた移動可能な上空の基地局から地上、水上又は低高度の空中に向かって形成される三次元の大ゾーンセル（第１セル）の展開が有効とされている。この大ゾーンセル内に通常のマクロセルやスモールセル等の地上セル（第２セル）が重畳するオーバレイセル構成において、地上セルと同一周波数を利用して大ゾーンセルを運用することにより、周波数利用効率を拡大することができる。
【０００３】
上記オーバレイセル構成では、地上セルの上空にサービスリンクの下りリンクで同一周波数を用いる大ゾーンセルを展開するため、大ゾーンセル内の地上セル圏外エリアに位置するＵＥが大ゾーンセルに接続するだけでなく、大ゾーンセルの信号が強い環境下にあるＵＥ（例えば、地上セル間のセル境界や屋外に位置するＵＥ）が大ゾーンセルにハンドオーバすることにより、大ゾーンセルに多数のＵＥが在圏し、大ゾーンセルへ通信トラフィックが集中するおそれがある。しかも、大ゾーンセルの単位面積あたりの通信容量は地上セルよりも小さい。このような容量が小さい大ゾーンセルへ通信トラフィックが集中すると、真に大ゾーンセルへの接続が必要なＵＥ（例えば、山間部、都市部から離れた地方部、海、大きな湖の中央部、上空などの従来の地上セルの圏外エリアや災害時の圏外エリアに位置するＵＥ）の通信品質が低下してしまう。
【０００４】
従来のセル間のハンドオーバでは、地上セルに接続しているＵＥが、その接続中の地上セルの周波数と同じ周波数（以下「同一周波数」ともいう。）を常にサーチし、接続中の地上セルの接続基地局からの受信品質のレベル（以下「受信レベル」ともいう。）が所定の閾値未満になると、当該ＵＥは、上記同一周波数のサーチで見つかった接続中の地上セル及び他のセルそれぞれの受信レベル及びＰＣＩ（物理セル識別子）を含む測定報告（ＭＲ）を、接続基地局に定期的に送信し始める。接続基地局は、ＵＥから受信した測定報告（ＭＲ）に、上記同一周波数のサーチで見つかった同一周波数の他のセルの基地局の受信レベル及びＰＣＩが含まれている場合、当該他のセルの基地局にハンドオーバさせる。一方、上記同一周波数のサーチで同一周波数の他のセルの基地局を見つけられず、ＵＥからの測定報告（ＭＲ）に同一周波数の他のセルの基地局の受信レベル及びＰＣＩが含まれていない場合、ＵＥが接続している地上セルの接続基地局は、接続基地局からの受信レベルが所定の閾値（固定値）よりも下がると、接続セルの周波数とは異なる周波数（以下「異周波数」ともいう。）をサーチさせ、異周波数のセルの基地局にハンドオーバさせる（例えば、非特許文献１参照）。
【先行技術文献】
【非特許文献】
【０００５】
【非特許文献１】３ＧＰＰ  ＴＳ  ２５．３３１  Ｖ１６．０．０  （２０２０−０３）
【発明の概要】
【発明が解決しようとする課題】
【０００６】
しかしながら、上記オーバレイセル構成に非特許文献１の異周波数間のハンドオーバの技術適用しようとすると、次のような課題がある。ＵＥが接続している地上セルの接続基地局と大ゾーンセルの基地局が同一周波数を使っている場合、接続基地局からの受信レベルが下がっているエリアにおいて大ゾーンセルの基地局からの受信レベルが高くなっていると、地上セルの接続基地局からの受信レベルが異周波数のサーチを開始する上記所定の閾値（固定値）に達する前に、地上の接続基地局から同一周波数の大ゾーンセルの基地局へのハンドオーバが発生してしまう。この大ゾーンセルの基地局へのハンドオーバの発生により、異周波数の地上セルの基地局にハンドオーバさせることができず、大ゾーンセルへの通信トラフィックの集中を回避することができない、という課題がある。
【課題を解決するための手段】
【０００７】
本発明の一態様に係る通信システムは、一又は複数の第１セルを形成する一又は複数の第１基地局と、前記第１セルと同じ下りリンク周波数を用いる同一周波数の第２セルを形成する一又は複数の第２基地局と、前記第１セルと異なる下りリンク周波数を用いる異周波数の第３セルを形成する一又は複数の第３基地局とを備え、前記第１セル、前記第２セル及び前記第３セルが互いに少なくとも一部重複しているオーバレイセル構成の通信システムである。この通信システムは、前記同一周波数の第２セルに接続している移動局が報告した前記同一周波数で測定された受信品質のレベルの測定結果及び受信対象セルのセル識別子を含む測定報告（ＭＲ）に、前記第１セルのセル識別子が含まれているとき、当該測定報告（ＭＲ）に含まれている前記第１セルからの信号の受信品質のレベルの測定値に基づいて、異周波数測定開始の判定に用いる判定用パラメータの値を変更するか否かを判断する手段と、前記判断の結果に基づいて前記判定用パラメータの値を変更する手段と、を備える。
【０００８】
前記通信システムにおいて、前記移動局から前記測定報告（ＭＲ）にて報告された前記第１基地局からの受信品質のレベルの測定結果が、前記移動局が接続している接続中の前記第２セルの異周波数測定開始閾値よりも大きい場合、前記判定用パラメータの値を変更する判断を行ってもよい。
【０００９】
前記通信システムにおいて、前記同一周波数の第２基地局は、自局に接続している移動局から、前記同一周波数で測定された受信品質のレベルの測定結果及び受信対象セルのセル識別子を含む測定報告（ＭＲ）を受信する手段と、前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる異周波数測定開始閾値又は受信品質オフセットを変更するか否かを判断する手段と、前記判断の結果に基づいて、前記異周波数測定開始の判定に用いる判定用パラメータの値を変更する手段と、前記変更後の判定用パラメータの値を、自局に接続している移動局に通知する手段と、を備えてもよい。
【００１０】
ここで、前記同一周波数の第２基地局は、前記移動局から前記測定報告（ＭＲ）にて報告された前記第１基地局からの受信品質のレベルが、前記移動局が接続している接続中の前記第２セルの異周波数測定開始パラメータよりも大きい場合、前記判定用パラメータの値を変更する判断を行ってもよい。
【００１１】
また、前記同一周波数の第２基地局は、前記判定用パラメータの値を変更した後、自局に接続している移動局から、前記第１セルのセル識別子が含まれている前記測定報告（ＭＲ）を所定回数受信したとき、自局から前記第１セルへのハンドオーバを要求するコマンドを前記移動局に送信する手段を備えてもよい。また、前記同一周波数の第２基地局は、前記第１セルのセル識別子が含まれている前記測定報告（ＭＲ）を一定期間内に所定回数受信したとき、自局から前記第１セルへのハンドオーバを要求するコマンドを前記移動局に送信してもよい。
【００１２】
前記通信システムにおいて、前記第２基地局を管理する管理装置を備え、前記管理装置は、前記同一周波数の第２セルに接続している移動局が報告した前記同一周波数で測定された受信品質のレベルの測定結果及び受信対象セルのセル識別子を含む測定報告（ＭＲ）を取得する手段と、前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２基地局に設定されている異周波数測定開始の判定に用いる判定用パラメータの値を変更するか否かを判断する手段と、前記判断の結果に基づいて前記判定用パラメータの値を変更する手段と、前記変更後の判定用パラメータの値を、前記同一周波数の第２セルに接続している移動局に通知する報知情報として、前記同一周波数の第２基地局に設定する手段と、を備えてもよい。
【００１３】
前記通信システムにおいて、前記変更後の判定用パラメータの値を、前記同一周波数の第２セルに接続している複数の移動局のうち、前記第１セルのセル識別子が含まれている測定報告（ＭＲ）を送信してきた移動局の一部又は全部に通知してもよい。ここで、複数の移動局に通知する変更後の判定用パラメータの値は、移動局間で互いに同じ値であってもよいし、移動局間で互いに異なる値であってもよい。
【００１４】
前記通信システムにおいて、異周波数測定開始閾値を上げることで、前記異周波数測定開始のタイミングを早くしてもよいし、異周波数測定開始閾値を下げることで、前記異周波数測定開始のタイミングを遅くしてもよい。
【００１５】
前記通信システムにおいて、前記判定用パラメータの値は、周波数リソース空き状況に基づいて動的に変更してもよい。
【００１６】
前記通信システムにおいて、前記判定用パラメータの値は、前記第１基地局の通信容量の負荷状況の変化に基づいて動的に変更してもよい。
【００１７】
前記通信システムにおいて、前記第１セルへの接続を優先したいエリアについては、前記判定用パラメータの値を変更しないようにしてもよい。
【００１８】
本発明の他の態様に係る基地局は、一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、前記第２セルを形成する基地局である。この基地局は、自局に接続している移動局から、前記同一周波数で測定された受信品質のレベルの測定結果及び受信対象セルのセル識別子を含む測定報告（ＭＲ）を受信する手段と、前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる判定用パラメータの値を変更するか否かを判断する手段と、前記判断の結果に基づいて前記判定用パラメータの値を変更する手段と、前記変更後の判定用パラメータの値を、自局に接続している移動局に通知する手段と、を備える。
【００１９】
本発明の更に他の態様に係る管理装置は、一又は複数の第１セルと、前記第１セルよりもセルサイズが小さく前記第１セルと同じ下りリンク周波数を用いる同一周波数の第２セルと、前記第１セルと異なる下りリンク周波数を用いる異周波数の第３セルとを含むオーバレイセル構成において、基地局を管理する管理装置である。この管理装置は、前記同一周波数の第２セルに接続している移動局が報告した前記同一周波数で測定された受信品質のレベルの測定結果及び受信対象セルのセル識別子を含む測定報告（ＭＲ）を取得する手段と、前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２セルを形成する第２基地局に設定されている異周波数測定開始の判定に用いる判定用パラメータの値を変更するか否かを判断する手段と、前記判断の結果に基づいて前記判定用パラメータの値を変更する手段と、前記変更後の判定用パラメータの値を、前記同一周波数の第２セルに接続している移動局に通知する報知情報として、前記同一周波数の第２基地局に設定する手段と、を備える。
【００２０】
本発明の更に他の態様に係るハンドオーバ制御方法は、一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、移動局のハンドオーバを制御するハンドオーバ制御方法である。このハンドオーバ制御方法は、前記同一周波数の第２セルに接続している移動局が報告した前記同一周波数で測定された受信品質のレベルの測定結果及び受信対象セルのセル識別子を含む測定報告（ＭＲ）を取得することと、前記測定報告（ＭＲ）に前記第１セルのセル識別子が含まれているとき、当該測定報告（ＭＲ）に含まれている前記第１セルからの信号の受信品質のレベルの測定値に基づいて、異周波数測定開始の判定に用いる判定用パラメータの値を変更するか否かを判断することと、前記判断の結果に基づいて前記判定用パラメータの値を変更することと、を有する。
【００２１】
本発明の更に他の態様に係るプログラムは、一又は複数の第１セルと、前記第１セルと同じ下りリンク周波数を用いる同一周波数の一又は複数の第２セルと、前記第１セルと異なる下りリンク周波数を用いる異周波数の一又は複数の第３セルとが互いに少なくとも一部重複しているオーバレイセル構成において、前記第２セルを形成する基地局に備えるコンピュータ又はプロセッサにおいて実行されるプログラムである。このプログラムは、自局に接続している移動局から、前記同一周波数で測定された受信品質のレベルの測定結果及び受信対象セルのセル識別子を含む測定報告（ＭＲ）を受信するためのプログラムコードと、前記測定報告（ＭＲ）に前記第１セルのセル識別子が含まれているとき、当該測定報告（ＭＲ）に含まれている前記第１セルからの信号の受信品質のレベルの測定値に基づいて、自局に設定されている異周波数測定開始の判定に用いる判定用パラメータの値を変更するか否かを判断するためのプログラムコードと、前記判断の結果に基づいて前記判定用パラメータの値を変更するためのプログラムコードと、前記変更後の判定用パラメータの値を、自局に接続している移動局に通知するためのプログラムコードと、を有する。
【００２２】
本発明の更に他の態様に係るプログラムは、一又は複数の第１セルと、前記第１セルよりもセルサイズが小さく前記第１セルと同じ下りリンク周波数を用いる同一周波数の第２セルと、前記第１セルと異なる下りリンク周波数を用いる異周波数の第３セルとを含むオーバレイセル構成において基地局を管理する管理装置に備えるコンピュータ又はプロセッサにおいて実行されるプログラムである。このプログラムは、前記同一周波数の第２セルに接続している移動局が報告した前記同一周波数で測定された受信品質のレベルの測定結果及び受信対象セルのセル識別子を含む測定報告（ＭＲ）を取得するためのプログラムコードと、前記測定報告（ＭＲ）に前記第１セルのセル識別子が含まれているとき、当該測定報告（ＭＲ）に含まれている前記第１セルからの信号の受信品質のレベルの測定値に基づいて、前記同一周波数の第２セルを形成する第２基地局に設定されている異周波数測定開始の判定に用いる判定用パラメータの値を変更するか否かを判断するためのプログラムコードと、前記判断の結果に基づいて前記判定用パラメータの値を変更するためのプログラムコードと、前記変更後の判定用パラメータの値を、前記同一周波数の第２セルに接続している移動局に通知する報知情報として、前記同一周波数の第２基地局に設定するためのプログラムコードと、を有する。
【００２３】
前記通信システム、前記基地局、前記ハンドオーバ制御方法及び前記プログラムにおいて、前記判定用パラメータは、前記第１セルからの信号の受信品質のレベルの測定値と比較する異周波数測定開始閾値、前記第１セルからの信号の受信品質のレベルの測定値に対して加算又は減算する受信品質オフセット、又は、その両方であってもよい。
【００２４】
前記同一周波数の第２基地局は、地上若しくは水上に設置されたスモールセル基地局又は前記第１基地局よりも低い高度を飛行する飛行体に設置されたスモールセル基地局であり、前記異周波数の第３基地局は、地上若しくは水上に設置されたマクロセル基地局又は前記第１基地局よりも低い高度を飛行する飛行体に設置されたマクロセル基地局であり、前記第１基地局は、前記第２基地局及び第３基地局と同じ又はより高い位置に配置された基地局であってもよい。
【００２５】
また、前記第１基地局はマクロセル基地局であり、前記同一周波数の第２基地局及び前記異周波数の第３基地局はそれぞれスモールセル基地局であってもよい。
【発明の効果】
【００２６】
本発明によれば、第１セルと同一周波数の第２セルと異周波数の第３セルとが互いに少なくとも一部重複しているオーバレイセル構成において、サービスリンクの下りリンクに第１セルと同一の周波数を用いる第２基地局に接続している移動局を、同一周波数の第２セルの受信レベルが第１セルよりも低くなった場合、異周波数の第３基地局に優先的にハンドオーバさせることにより、第１セルへの通信トラフィックの集中を回避することができる。
【図面の簡単な説明】
【００２７】
【図１】本実施形態に係る大ゾーンセル内に複数の地上セルが配置されたオーバレイセル構成を有する移動通信システムの概略構成の一例を示す説明図。
【図２】参考例に係る移動通信システムのサービスリンクにおける下りリンク周波数のセル間共用の一例を示す説明図。
【図３】本実施形態に係る移動通信システムのサービスリンクにおける下りリンク周波数のセル間共用の一例を示す説明図。
【図４】本実施形態に係る移動通信システムのオーバレイセル構成における異周波数間ハンドオーバ制御の一例を示すシーケンス図。
【図５】図４の異周波数間ハンドオーバにおけるＵＥから基地局への測定報告（ＭＲ）の送信タイミングの一例を示す説明図。
【図６】図４の異周波数間ハンドオーバにおける異周波数測定開始の判定に用いる異周波数測定開始閾値の変更タイミングの一例を示す説明図。
【図７】図４の異周波数間ハンドオーバにおける異周波数セルへのハンドオーバコマンドの送信タイミングの一例を示す説明図。
【図８】本実施形態に係る移動通信システムのオーバレイセル構成における異周波数間ハンドオーバ制御の他の例を示すシーケンス図。
【発明を実施するための形態】
【００２８】
以下、図面を参照して本発明の実施形態について説明する。ここでは、ＬＴＥ／ＬＴＥ−Ａｄｖａｎｃｅｄへの適用を前提に本発明の実施形態を説明するが、類似のセル構成、物理チャネル構成を用いるシステムであれば、本発明の概念はどのようなシステムにも適用可能である。
【００２９】
まず、本発明を適用可能な移動通信システムの全体構成について説明する。
図１は、本発明の実施形態に係る大ゾーンセル１０Ａ内に複数の地上セル２０Ａ，３０Ａが配置されたオーバレイセル構成を有する移動通信システムの概略構成の一例を示す説明図である。災害や圏外解消への対策として、空中浮揚型の通信中継装置１５から地上又は水上に向かって形成される大きなサイズの一又は複数の大ゾーンセル（第１セル）１０Ａの展開が有効である。また、この大ゾーンセル１０Ａにおいて急増する移動通信のトラフィックへの対策として、大ゾーンセル１０Ａに複数の地上セル２０Ａ，３０Ａが重畳するオーバレイセル構成の適用が有効である。本実施形態における大ゾーンセル１０Ａは、上空から形成されるため「上空セル」とも呼ばれる。
【００３０】
図１において、複数の地上セル２０Ａ，３０Ａは、移動局であるユーザ端末装置（以下「ＵＥ」ともいう。）とのサービスリンクの無線通信に大ゾーンセル１０Ａと同じ周波数（周波数帯）Ｆ１が用いられる同一周波数Ｆ１の地上セル（第２セル）と、ＵＥとのサービスリンクの無線通信に大ゾーンセル１０Ａと異なる周波数（周波数帯）Ｆ２が用いられる異周波数Ｆ２の地上セル（第３セル）とを含む。
【００３１】
地上セル２０Ａ，３０Ａは、マクロセル３０Ａと、マクロセル３０Ａよりも小さいスモールセル２０Ａとを含んでもよい。スモールセル２０Ａはマクロセル３０Ａの内側に形成してもよいし、マクロセル３０Ａの外側に形成してもよい。また、図１の例では、マクロセル３０Ａ内に一又は複数のスモールセル２０Ａが位置してスモールセル２０Ａの全体がマクロセル３０Ａに重複しているが、スモールセル２０Ａの一部がマクロセル３０Ａに重複してもよい。なお、図１は、大ゾーンセル１０Ａ内に配置されているスモールセル２０Ａの数が７であり、大ゾーンセル１０Ａ内に配置されているマクロセル３０Ａの数が３である場合について例示しているが、これらのセル数に限定されない。例えば、大ゾーンセル１０Ａ内に配置されているスモールセル２０Ａの数は１〜６でもよいし、８以上であってもよい。また、大ゾーンセル１０Ａ内に配置されているマクロセル３０Ａの数は１〜２でもよいし、４以上であってもよい。
【００３２】
ここで、同一周波数Ｆ１の地上セルがマクロセルであり異周波数Ｆ２の地上セルがマクロセルよりも小さいスモールセルであってもよいし、逆に、同一周波数Ｆ１の地上セルがスモールセルであり異周波数Ｆ２の地上セルがマクロセルであってもよい。また、共通の基地局から共通エリアに向けて同一周波数Ｆ１のマクロセルと異周波数Ｆ２のマクロセルを重ねて形成してもよいし、共通の基地局から共通エリアに向けて同一周波数Ｆ１のスモールセルと異周波数Ｆ２のスモールセルを重ねて形成してもよい。また、別々の基地局から同一周波数Ｆ１のマクロセル（又は、スモールセル）と異周波数Ｆ２のマクロセル（又は、スモールセル）を重ねて形成してもよい。
【００３３】
また、各セル１０Ａ，２０Ａ，３０Ａで用いられる周波数Ｆ１，Ｆ２は、例えば、３００ＭＨｚ〜３０ＧＨｚのマイクロ波帯の周波数でもよいし、３０ＧＨｚよりも高いミリ波帯の周波数でもよい。また、各セル１０Ａ，２０Ａ，３０Ａのサービスリンクの周波数は、例えば、７００ＭＨｚ帯（Ｂａｎｄ２８）、９００ＭＨｚ帯（Ｂａｎｄ８）、１．５ＧＨｚ帯（Ｂａｎｄ１１）、１．７ＧＨｚ帯（Ｂａｎｄ３）又は２ＧＨｚ帯（Ｂａｎｄ１）であってもよい。
【００３４】
図１中のＵＥ４１は大ゾーンセル１０Ａに在圏して当該セル１０Ａに接続している。また、図１中のＵＥ４２はスモールセル２０Ａに在圏して当該セル２０Ａに接続し、ＵＥ４３はマクロセル３０Ａに在圏して当該セル３０Ａに接続している。
【００３５】
図１のオーバレイセル構成では、大ゾーンセル１０Ａと同一周波数のマクロセル３０Ａとの間で同一周波数を利用することにより周波数利用効率を拡大できるとともに、必要に応じて同一周波数のマクロセル３０Ａの境界エリアに在圏するＵＥ４２を異周波数の他のマクロセル３０Ａ又はスモールセル２０Ａにハンドオーバさせることにより大ゾーンセル１０Ａからの干渉を回避することができるので、ＵＥ４１，４２，４３における通信品質（例えばスループット）を増大させることができる。
【００３６】
図１において、本実施形態の移動通信システムは、ＬＴＥ（Long Term Evolution）／ＬＴＥ−Ａｄｖａｎｃｅｄ又は第５世代などの次世代の標準仕様に準拠した通信システムであり、通信中継装置１５に搭載された第１基地局としての移動可能な大ゾーンセル基地局１０と、その大ゾーンセル基地局１０の無線通信エリアである大ゾーンセル１０Ａ内に固定配置された複数の地上セル基地局２０，３０とを備える。
【００３７】
地上セル基地局２０，３０は、例えば、サービスリンクの無線通信に大ゾーンセル基地局１０と同じ第１の周波数帯（周波数Ｆ１）を用いる同一周波数Ｆ１の第２基地局と、サービスリンクの無線通信に大ゾーンセル基地局１０の周波数Ｆ１とは異なる第２の周波数帯（周波数Ｆ２）を用いる異周波数の第３基地局とを含む。また、図１に示すように、複数の地上セル基地局は、マクロセル基地局３０とスモールセル基地局２０とを含んでもよい。
【００３８】
ここで、同一周波数Ｆ１の地上セル基地局（第２基地局）がマクロセル基地局であり異周波数Ｆ２の地上セル基地局（第３基地局）がスモールセル基地局であってもよいし、逆に、同一周波数Ｆ１の地上セル基地局（第２基地局）がスモールセル基地局であり異周波数Ｆ２の地上セル基地局（第３基地局）がマクロセル基地局であってもよい。また、地上セル基地局３０は、共通エリアに向けて同一周波数Ｆ１のマクロセルと異周波数Ｆ２のマクロセルを重ねて形成する共通のマクロ基地局であってもよい。また、地上セル基地局２０は、共通エリアに向けて同一周波数Ｆ１のスモールセルと異周波数Ｆ２のスモールセルを重ねて形成する共通のスモールセル基地局であってもよい。
【００３９】
大ゾーンセル基地局１０は、上空を移動可能な飛行体からなる空中浮揚型の通信中継装置１５に搭載された中継通信局として基地局（例えば、ｅＮｏｄｅＢ、ｇＮｏｄｅＢ）であり、移動通信網側のフィーダリンクＦＬの無線通信と移動局側のサービスリンクＳＬの無線通信とを中継することができる。
【００４０】
なお、図１では、上空の通信中継装置１５に搭載された中継通信局が大ゾーンセル基地局１０である例を示しているが、大ゾーンセル基地局１０は、地上側のゲートウェイ局に設けてもよいし、地上側のゲートウェイ局に接続された装置に設けてもよい。この場合、通信中継装置１５に搭載された中継通信局は、大ゾーンセル基地局１０との間のフィーダリンクＦＬの無線通信と、ＵＥ（移動局）との間のサービスリンクＳＬの無線通信とを中継するリピータとして機能する。
【００４１】
また、図１では、大ゾーンセル基地局１０を搭載する通信中継装置１５が上空を移動可能な飛行体としての飛行船である例を示しているが、通信中継装置１５は、上空を移動又は飛行可能なドローン、気球、航空機、ヘリコプター、ソーラープレーンタイプのＨＡＰＳ（「高高度プラットフォーム局」又は「高高度疑似衛星」）若しくはＬＡＰＳ（「低高度プラットフォーム局」又は「低高度疑似衛星」）、飛行船タイプのＨＡＰＳ若しくはＬＡＰＳ、人工衛星などの他の無人又は有人の飛行体であってもよい。また、通信中継装置１５は、無線中継を行う運用時に位置する上空の所定の位置に移動した後、その位置にとどまるように又はその位置を含む所定範囲の飛行空間内を循環飛行するように制御してもよい。
【００４２】
飛行体は、自律制御若しくは外部から制御により又は飛行体に搭乗する操縦者の操縦により、地面、海面、又は川若しくは湖などの水面から１００［ｋｍ］以下の高度の空域を飛行して位置するように制御されてもよい。また、飛行体の飛行空域は、高度が１１［ｋｍ］以上及び５０［ｋｍ］以下の成層圏の空域であってもよい。更に、飛行体の飛行空域は、気象条件が比較的安定している高度１５［ｋｍ］以上２５［ｋｍ］以下の空域であってもよく、特に高度がほぼ２０［ｋｍ］の空域であってもよい。
【００４３】
また、大ゾーンセル基地局１０は、スモールセル基地局２０、マクロセル基地局３０などの地上セル基地局（第２基地局）よりも高い位置（大気圏内の位置、及び、その外側の宇宙空間の位置を含む）に設置された基地局であってもよい。スモールセル基地局２０及びマクロセル基地局３０はそれぞれ、地上若しくは水上に設置されてもよいし、又は、大ゾーンセル基地局１０よりも低い高度を飛行する飛行体に設置されていてもよい。また、大ゾーンセル基地局１０がマクロセル基地局であり、そのマクロセル基地局と周波数が同じ同一周波数Ｆ１の第２セル基地局及びマクロセル基地局と周波数が異なる異周波数Ｆ２の第２セル基地局がそれぞれスモールセル基地局であってもよい。
【００４４】
また、大ゾーンセル基地局１０は地上に設置されてもよい。例えば、大ゾーンセル基地局１０は、標高の高い山の上などに設置されてもよい。
【００４５】
マクロセル基地局３０は、移動体通信網において屋外に設置されている通常の半径数百ｍ乃至十数ｋｍ程度の広域エリアである地上セルをカバーする大出力の基地局である。マクロセル基地局３０は、他の基地局と例えば有線の通信回線で接続され、所定の通信インターフェースで通信可能になっている。また、マクロセル基地局３０は、回線終端装置及び専用回線などの通信回線を介して移動体通信網のコアネットワークに接続され、コアネットワーク上のサーバなどの各種ノードとの間で所定の通信インターフェースにより通信可能になっている。
【００４６】
スモールセル基地局２０は、広域のマクロセル基地局３０とは異なり、無線通信可能距離が数ｍ乃至数百ｍ程度であり、一般家庭、店舗、オフィス等の建物の内部にも設置することができる小出力の基地局である。スモールセル基地局２０についても、回線終端装置及びＡＤＳＬ（Asymmetric Digital Subscriber Line）回線や光回線等のブロードバンド公衆通信回線などの通信回線を介して移動体通信網のコアネットワークに接続され、コアネットワーク上のサーバ装置などの各種ノードとの間で所定の通信インターフェースにより通信可能になっている。
【００４７】
なお、大ゾーンセル１０Ａ内のスモールセル基地局２０及びマクロセル基地局３０は、地上又は水上に設置された基地局でもよいし、ドローン、気球、ヘリコプター、航空機などの低高度の飛行体に設置された基地局であってもよい。
【００４８】
図１において、第１の移動局であるＵＥ４１は、周波数Ｆ１の大ゾーンセル１０Ａに在圏して大ゾーンセル基地局１０に接続されたユーザ端末装置（ＭＵＥ）であり、大ゾーンセル基地局１０を介して電話やデータ通信などのための無線通信が可能な状態にある。
【００４９】
一部の第２の移動局であるＵＥ４２は、スモールセル２０Ａに在圏してスモールセル基地局２０に接続されたユーザ端末装置（ＳＵＥ）であり、スモールセル基地局２０を介して電話やデータ通信などのための無線通信が可能な状態にある。
【００５０】
他の第２の移動局であるＵＥ４３は、マクロセル３０Ａに在圏してマクロセル基地局３０に接続されたユーザ端末装置（ＳＵＥ）であり、スモールセル基地局２０を介して電話やデータ通信などのための無線通信が可能な状態にある。
【００５１】
ＵＥ４１，４２，４３はそれぞれ、大ゾーンセル１０Ａ、スモールセル２０Ａ、マクロセル３０Ａに在圏するときに、その在圏するセルに対応する大ゾーンセル基地局１０、スモールセル基地局２０、マクロセル基地局３０と間で所定の通信方式及び無線通信リソースを用いて無線通信することができる。ＵＥ４１，４２，４３はそれぞれ、例えばＣＰＵやメモリ等を有するコンピュータ装置、コアネットワークに対する外部通信インターフェース部、無線通信部などのハードウェアを用いて構成され、所定のプログラムが実行されることにより基地局１０，２０，３０等との間の無線通信等を行うことができる。
【００５２】
本実施形態において、大ゾーンセル基地局１０、スモールセル基地局２０及びマクロセル基地局３０はそれぞれ、例えばＣＰＵやメモリ等を有するコンピュータ装置、コアネットワークに対する外部通信インターフェース部、無線通信部などのハードウェアを用いて構成され、所定のプログラムが実行されることにより、後述の干渉を抑制するためのハンドオーバ等の各種処理を実行したり、所定の通信方式及び無線通信リソースを用いてＵＥ４１，４２，４３との間の無線通信を行ったりすることができる。
【００５３】
各基地局１０，２０，３０は、移動局であるＵＥに対してＯＦＤＭ（直交周波数分割多重）方式の下りリンクの無線通信可能な基地局である。基地局１０，２０，３０は、例えば、アンテナ、無線信号経路切り換え部、送受共用器（ＤＵＰ：Duplexer）、下り無線受信部とＯＦＤＭ（Orthogonal Frequency Division Multiplexing）復調部、上り無線受信部、ＳＣ−ＦＤＭＡ（Single-Carrier Frequency-Division Multiple Access）復調部など備える。更に、各基地局１０，２０，３０は、ＯＦＤＭ変調部、下り無線送信部、制御部等を備える。
【００５４】
ＳＣ−ＦＤＭＡ復調部は、上り無線受信部で受信した受信信号に対してＳＣ−ＦＤＭＡ方式の復調処理を実行し、復調されたデータを制御部に渡す。ＯＦＤＭ変調部は、制御部から受けた自局のセルに在圏しているＵＥに向けて送信する下り信号のデータを、所定の電力で送信されるように、ＯＦＤＭ方式で変調する。また、基地局が例えばサーバから送信停止対象のサブフレームの情報を受信した場合、ＯＦＤＭ変調部は、無線通信フレーム中の特定のサブフレームについてのみ下り送信を停止するように制御される。下り無線送信部は、ＯＦＤＭ変調部で変調した送信信号を、送受共用器、無線信号経路切り換え部及びアンテナを介して送信する。
【００５５】
基地局１０，２０，３０の制御部は、例えばコンピュータ装置で構成され、所定のプログラムが読み込まれて実行されることにより、各部を制御したり各種処理を実行したりする。また、制御部は、コアネットワークに対する外部通信インターフェース部と協働して、ＵＥ４１，４２，４３のハンドオーバのための処理を行う手段としても機能する。
【００５６】
図２は、参考例に係るオーバレイセル構成を有する移動通信システムのサービスリンクにおける下りリンク周波数のセル間共用の一例を示す説明図である。図２において、郊外エリアに設置されたマクロセル基地局３０，３１により互いに隣接するマクロセル３０Ａ，３１Ａが形成されている。一方、都市部エリアに密状態で設置されたスモールセル基地局２０，２１により互いに隣接するスモールセル２０Ａ，２１Ａが形成されている。大ゾーンセル１０Ａは、マクロセル３０Ａ，３１Ａ及びスモールセル２０Ａ，２１Ａの全体をカバーするように形成されている。図２の下図の横軸は、各セル１０Ａ、３０Ａ，３１Ａ、２０Ａ，２１Ａを横切る図中水平方向における位置であり、縦軸は、各セル１０Ａ、３０Ａ，３１Ａ、２０Ａ，２１ＡにおいてＵＥが受信する希望信号の受信レベル６１０、６３０、６３１、６２０、６２１である。
【００５７】
図２において、都市部では地上セルであるスモールセル２０Ａ，２１Ａにおける希望信号の受信レベル６２０、６２１が大きく、上空からの見通し率が低い。そのため、スモールセル基地局２０，２１からの受信レベル６２０，６２１が大ゾーンセル基地局１０からの受信レベル６１０よりもかなり大きくなり、都市部エリア全体で大ゾーンセル１０Ａとの周波数の再利用（単純周波数共用）が可能である。
【００５８】
上空からの見通し率が高い郊外部における地上セルであるマクロセル３０Ａ，３１Ａの中央部では、マクロセル基地局３０，３１からの受信レベル６３０，６３１が大ゾーンセル基地局１０からの受信レベル６１０よりも大きく、大ゾーンセル１０Ａとの周波数共用が可能である。しかしながら、マクロセル３０Ａ，３１Ａのセル端部では、マクロセル基地局３０，３１からの受信レベル６３０，６３１が大ゾーンセル基地局１０からの受信レベル６１０よりも小さくなるので、大ゾーンセル１０Ａからの干渉が発生する。このため、大ゾーンセル１０Ａとの周波数共用を行おうとすると、マクロセル３０Ａ，３１Ａのセル端部では他の地上セルであるマクロセルが隣接していたとしても、そのマクロセルにハンドオーバすることができずＵＥ４３の地上セルへの接続を維持することができず、単位面積あたりの通信トラフィックの容量が小さい大ゾーンセル１０Ａへハンドオーバしてしまうことにより大ゾーンセル１０Ａへの通信トラフィックの集中を回避することができない。
【００５９】
そこで、本実施形態では、郊外部などの共通エリアに大ゾーンセル１０Ａと同じ同一周波数Ｆ１を用いる地上セルと異周波数Ｆ２の地上セルを形成し、同一周波数Ｆ１の地上セルに接続しているＵＥがセル端部に位置しているとき、大ゾーンセル１０Ａではなく異周波数Ｆ２の地上セルに優先的にハンドオーバさせることにより、大ゾーンセル１０Ａへの通信トラフィックの集中を回避している。
【００６０】
同一周波数Ｆ１の地上セルに接続しているＵＥがセル端部に位置しているとき、異周波数Ｆ２の地上セルに優先的にハンドオーバさせる場合、次のような課題がある。ＵＥが接続している地上セル基地局からの受信レベルが下がっているエリアにおいて大ゾーンセル１０Ａの基地局からの受信レベルが高くなっていると、同一周波数Ｆ１の地上セルの接続基地局からの受信レベルが異周波数のサーチを開始する所定の閾値（固定値）に達する前に、同一周波数Ｆ１の地上セルの接続基地局から同一周波数Ｆ１の大ゾーンセル１０Ａの基地局へのハンドオーバが発生してしまうおそれがある。この同一周波数Ｆ１の大ゾーンセル１０Ａの基地局へのハンドオーバの発生により、異周波数Ｆ２の地上セルの基地局にハンドオーバさせることができないと、大ゾーンセル１０Ａへの通信トラフィックの集中を回避することができない。
【００６１】
そこで特に、本実施形態では、大ゾーンセル１０Ａへの通信トラフィックの集中を回避するために、同一周波数Ｆ１の地上セル３０Ａに接続しているＵＥが報告した同一周波数Ｆ１で測定された受信レベルの測定結果及び受信対象セルのセル識別子を含む測定報告（ＭＲ）に、大ゾーンセル１０Ａのセル識別子が含まれているとき、当該測定報告（ＭＲ）に含まれている大ゾーンセル１０Ａからの信号の受信品質のレベルの測定値に基づいて、同一周波数Ｆ１の地上セル基地局３０に設定されている異周波数測定開始の判定に用いる判定用パラメータの値を変更するか否かを判断する手段と、前記判断の結果に基づいて、前記判定用パラメータの値を変更する手段と、を備える。
【００６２】
本実施形態において、前記判定用パラメータは、例えば、大ゾーンセル１０Ａからの信号の受信品質のレベルの測定値と比較する異周波数測定開始閾値Ｔｈ０、大ゾーンセル１０Ａからの信号の受信品質のレベルの測定値に対して加算又は減算する受信品質オフセットＯｆｆｓｅｔ０、又は、その両方である。
【００６３】
異周波数測定開始閾値Ｔｈ０及び受信品質オフセットの具体的な値はそれぞれ、ＵＥから報告された大ゾーンセル１０Ａのセル識別子を含む測定報告（ＭＲ）の大ゾーンセル１０Ａからの受信の受信品質のレベルよりも高い値又は低い値を設定する。
【００６４】
上記判定用パラメータの値を変更するか否かの判断及び上記判定用パラメータの値の変更は、例えば、地上セル基地局３０を管理する管理装置で行うことができる。
【００６５】
例えば、地上セル基地局３０は、ＵＥ４３と無線通信する無線通信部と、送受信するデータを処理するデータ処理部と、移動通信網のコアネットワーク側と有線又は無線の通信インターフェースにより通信するＮＷ通信部と、各部を制御するＣＰＵやメモリなどからなる制御部とを備える。上記判断及び閾値の変更を同一周波数Ｆ１の地上セル基地局３０が行う場合、地上セル基地局３０の制御部は、例えば、所定の制御プログラムを読み込んで実行して上記各部と連携することにより、次のＭＡ１〜ＭＡ４の手段としても機能する。
【００６６】
ＭＡ１：自局に接続しているＵＥ４３から、同一周波数Ｆ１で測定された受信品質のレベルの測定結果及び受信対象セルのセル識別子を含む測定報告（ＭＲ）を受信する手段。
ＭＡ２：測定報告（ＭＲ）に大ゾーンセル１０Ａのセル識別子（ＰＣＩ）が含まれているとき、当該測定報告（ＭＲ）に含まれている大ゾーンセル１０Ａからの信号の受信品質のレベルの測定値に基づいて、自局に設定されている異周波数測定開始の判定に用いる判定用パラメータ（異周波数測定開始閾値Ｔｈ０、受信品質オフセットＯｆｆｓｅｔ０、又は、その両方）の値を変更するか否かを判断する手段。
ＭＡ３：前記判断の結果に基づいて、前記判定用パラメータの値を変更する手段。
ＭＡ４：前記変更後の判定用パラメータの値を、自局に接続しているＵＥ４３のうち大ゾーンセル１０Ａのセル識別子（ＰＣＩ）を含む測定報告（ＭＲ）を送信してきたＵＥ４３に通知する手段。
【００６７】
また、上記判断及び判定用パラメータの値の変更は、複数の基地局と通信して各基地局を遠隔的に集中管理するように移動通信網等に設けた管理装置で行ってもよい。管理装置は、各基地局の管理情報を記憶するデータベース（ＤＢ）と、有線又は無線の通信インターフェースにより移動通信網やインターネットなどを介して各基地局と通信するＮＷ通信部と、各種情報を処理する情報処理部と、各部を制御するＣＰＵやメモリなどからなる制御部とを備える。上記判断及び閾値の変更を管理装置が行う場合、管理装置の制御部は、例えば、所定の制御プログラムを読み込んで実行して上記各部と連携することにより、次のＭＢ１〜ＭＢ４の手段としても機能する。
【００６８】
ＭＢ１：同一周波数Ｆ１の地上セル３０Ａに接続しているＵＥ４３が報告した同一周波数Ｆ１で測定された受信品質のレベルの測定結果及び受信対象セルのセル識別子を含む測定報告（ＭＲ）を取得する手段。
ＭＢ２：前記測定報告（ＭＲ）に大ゾーンセル１０Ａのセル識別子（ＰＣＩ）が含まれているとき、当該測定報告（ＭＲ）に含まれている大ゾーンセル１０Ａからの信号の受信品質のレベルの測定値に基づいて、同一周波数Ｆ１の地上セル基地局３０に設定されている異周波数測定開始の判定に用いる判定用パラメータ（異周波数測定開始閾値Ｔｈ０、受信品質オフセットＯｆｆｓｅｔ０、又は、その両方）を変更するか否かを判断する手段。
ＭＢ３：前記判断の結果に基づいて前記判定用パラメータの値を変更する手段。
ＭＢ４：前記変更後の判定用パラメータの値を、同一周波数Ｆ１の地上セル３０Ａに接続しているＵＥ４３に通知する報知情報として、同一周波数Ｆ１の地上セル３０Ａに設定する手段。
【００６９】
図３は、実施形態に係るオーバレイセル構成を有する移動通信システムのサービスリンクにおける下りリンク周波数のセル間共用の一例を示す説明図である。図３において、大ゾーンセル基地局１０により広域の周波数Ｆ１の大ゾーンセル１０Ａ（Ｆ１）が形成されている。マクロセル基地局等の地上セル基地局３０，３１により、周波数Ｆ１の大ゾーンセル１０Ａ（Ｆ１）の内側に、互いに隣接する同一周波数Ｆ１のマクロセル等の地上セル３０Ａ（Ｆ１），３１Ａ（Ｆ１）及び異周波数Ｆ２のマクロセル等の地上セル３０Ａ（Ｆ２），３１Ａ（Ｆ２）が形成されている。異周波数Ｆ２は同一周波数Ｆ１よりも低く、異周波数Ｆ２の地上セル３０Ａ（Ｆ２），３１Ａ（Ｆ２）のセルサイズは、同一周波数Ｆ１の地上セル３０Ａ（Ｆ１），３１Ａ（Ｆ１）のセルサイズよりも広い。大ゾーンセル１０Ａ（Ｆ１）は、地上セル３０Ａ（Ｆ１），３１Ａ（Ｆ１）との間でサービスリンクの下りリンクの周波数Ｆ１を共用する。
【００７０】
地上セル基地局３０は互いに異なる周波数Ｆ１，Ｆ２の地上セル３０Ａに共用される基地局であり、共通エリアに、周波数Ｆ１の地上セル３０Ａ（Ｆ１）と周波数Ｆ２の地上セル３０Ａ（Ｆ２）とを形成する。地上セル基地局３１は互いに異なる周波数Ｆ１，Ｆ２の地上セル３１Ａに共用される基地局であり、共通エリアに、周波数Ｆ１の地上セル３１Ａ（Ｆ１）と周波数Ｆ２の地上セル３１Ａ（Ｆ２）とを形成する。
【００７１】
なお、図３の例は、異周波数Ｆ２が同一周波数Ｆ１よりも低い場合の例であるが、異周波数Ｆ２は同一周波数Ｆ１よりも高くてもよい。
【００７２】
図３の下図の横軸は、各セル１０Ａ（Ｆ１）、３０Ａ（Ｆ１，Ｆ２），３１Ａ（Ｆ１，Ｆ２）を横切る図中水平方向における位置であり、Ｐ１点は、同一周波数Ｆ１の地上セル３０Ａ（Ｆ１）に接続しているＵＥ４３の位置である。ＵＥ４３は、図中矢印Ｍに示すように、地上セル３０Ａから隣接の地上セル３１Ａに向けて移動している。また、図３の下図の縦軸は、各セル１０Ａ（Ｆ１）、３０Ａ（Ｆ１，Ｆ２），３１Ａ（Ｆ１，Ｆ２）においてＵＥが受信する信号の受信品質のレベルを示す受信レベル６１０（Ｆ１）、６３０（Ｆ１）、６３０（Ｆ２）、６３１（Ｆ１）、６３１（Ｆ２）である。ＵＥが受信する信号の受信品質は、例えば、ＲＳＲＰ（Ｒｅｆｅｒｅｎｃｅ  Ｓｉｇｎａｌ  Ｒｅｃｅｉｖｅｄ  Ｐｏｗｅｒ）又はＲＳＲＱ（Ｒｅｆｅｒｅｎｃｅ  Ｓｉｇｎａｌ  Ｒｅｃｅｉｖｅｄ  Ｑｕａｌｉｔｙ）である。ＲＳＲＰは、基地局からの下りリンクの参照信号の受信電力［ｄＢｍ］である。ＲＳＲＱは、基地局からの下りリンクの総受信電力（ＲＳＳＩ：Ｒｅｃｅｉｖｅｄ  Ｓｉｇｎａｌ  Ｓｔｒｅｎｇｔｈ  Ｉｎｄｉｃａｔｏｒ）［ｄＢｍ］に対するＲＳＲＰ［ｄＢｍ］の比率である。
【００７３】
また、図３の下図の破線Ｔｈ０は、ＵＥ４３が異周波数Ｆ２の測定（サーチ）を開始する異周波数測定開始の判定に用いる判定用パラメータとしての異周波数測定開始閾値である。この異周波数測定開始閾値と比較する値は、受信品質（ＲＳＲＰ又はＲＳＲＱ）の値でもよいし、受信品質（ＲＳＲＰ又はＲＳＲＱ）に所定の受信品質オフセットを加えた値であってもよい。
【００７４】
なお、図３及び以下の実施形態の説明では、大ゾーンセル１０Ａ（Ｆ１）、地上セル３０Ａ（Ｆ１）及び地上セル３１Ａ（Ｆ１）のサービスリンクの周波数Ｆ１が２ＧＨｚ帯（Ｂａｎｄ１）であり、地上セル３０Ａ（Ｆ２）及び地上セル３１Ａ（Ｆ２）のサービスリンクの周波数Ｆ２が９００ＭＨｚ帯（Ｂａｎｄ８）である場合について説明するが、周波数Ｆ１，Ｆ２はそれぞれ他の周波数であってもよい。
【００７５】
図４は、本実施形態に係る移動通信システムのオーバレイセル構成における異周波数間ハンドオーバ制御の一例を示すシーケンス図である。図５は、図４の異周波数間ハンドオーバにおけるＵＥから基地局への測定報告（ＭＲ）の送信タイミングの一例を示す説明図である。図６は、図４の異周波数間ハンドオーバにおける異周波数測定開始の判定に用いる異周波数測定開始閾値の変更タイミングの一例を示す説明図である。図７は、図４の異周波数間ハンドオーバにおける異周波数セルへのハンドオーバコマンドの送信タイミングの一例を示す説明図である。なお、図４〜図７では、異周波数測定開始閾値Ｔｈ０を変更しているが、異周波数測定開始閾値Ｔｈ０に代えて又は異周波数測定開始閾値Ｔｈ０とともに、異周波数測定開始閾値Ｔｈ０と比較する同一周波数Ｆ１での受信品質のレベルの測定値に適用する受信品質オフセットＯｆｆｓｅｔ０を変更してもよい（後述の図８の例でも同様）。
【００７６】
本実施形態において、セル間のハンドオーバを行うＵＥ４３は、表１に示すハンドオーバに関連した動作トリガーを規定する各種イベントを実行するためのプログラムが制御部（例えばプロセッサ）に組み込まれ、表１に示す各イベントで用いる閾値を記憶部（例えばメモリ）に保持している。各イベントの動作の内容及び閾値は、例えば基地局に設定値として保持され、基地局からＵＥに対して報知情報のパラメータとして通知することができる。なお、表１中のＡ３イベントのオフセットＯｎ（Ａ３）及びオフセットＯｓ（Ａ３）はいずれか一方のみを適応してもよい。また、オフセットＯｎ（Ａ３）及びオフセットＯｓ（Ａ３）はそれぞれプラスの値でもよいし、マイナスの値でもよい。また、オフセットを適用しない場合は、オフセットＯｎ（Ａ３）及びオフセットＯｓ（Ａ３）の値をゼロに設定してもよい。
【００７７】
【表１】
0006986604.tif 000002
【００７８】
図４において、大ゾーンセル１０Ａ（Ｆ１）、地上セル３０Ａ（Ｆ１）及び地上セル３０Ａ（Ｆ２）のそれぞれに互いに異なる物理セル識別子（ＰＣＩ）を割り当てて設定しておく（図４のＳ１０１）。図示の例では、大ゾーンセル１０Ａ（Ｆ１）にＰＣＩ＝１００を割り当て、同一周波数Ｆ１の地上セル３０Ａ（Ｆ１）にＰＣＩ＝１０１を割り当て、異周波数Ｆ２の地上セル３０Ａ（Ｆ２）にＰＣＩ＝２０１を割り当てている。
【００７９】
ＵＥ４３が同一周波数Ｆ１の地上セル基地局３０（Ｆ１）に接続（Ａｔｔａｃｈ）すると、地上セル基地局３０（Ｆ１）からＵＥ４３に「RRC CONNECTION RECONFIGURATION」が送信される（図４のＳ１０２）。「RRC CONNECTION RECONFIGURATION」には、上記イベント及び閾値の設定情報が含まれる。「RRC CONNECTION RECONFIGURATION」に含める設定情報は、上記複数種類のイベントＡ１〜Ａ５のいずれか１つのイベント及びその閾値の設定情報でもよいし、又は、上記複数種類のイベントＡ１〜Ａ５の一部若しくは全部からなる複数のイベント及びそれらの閾値の設定情報でもよい。
【００８０】
地上セル３０Ａ（Ｆ１）に接続して在圏しているＵＥ４３が、セル境界エリア（図中の右端部のエリア）に移動すると、ＵＥ４３は、大ゾーンセル１０Ａ（Ｆ１）からの干渉を強く受ける。この状況下で、ＵＥ４３は、例えば上記Ａ１〜Ａ５のいずれかのイベントの動作条件を満たすタイミングに、同一周波数Ｆ１で測定した隣接セルの物理セル識別子（ＰＣＩ）及び受信品質の情報を含む測定報告（ＭＲ）を地上セル基地局３０（Ｆ１）に送信する（図４のＳ１０３）。また、このタイミングでは、地上セル基地局３０（Ｆ１）から受信した信号の受信品質Ｓ３０（Ｆ１）は、規定の異周波数測定開始閾値Ｔｈ０よりも大きいため、ＵＥ４３は異周波数Ｆ２での測定を開始しない（図５参照）。
【００８１】
次に、地上セル基地局３０（Ｆ１）は、ＵＥ４３から受信した周波数Ｆ１の測定報告（ＭＲ）に大ゾーンセル１０Ａ（Ｆ１）の物理セル識別子（ＰＣＩ＝１００）が含まれているとき、その測定報告（ＭＲ）に含まれている大ゾーンセル１０Ａ（Ｆ１）からの信号の受信品質（例えば、ＲＳＲＰ又はＲＳＲＱ）のレベルの測定値に基づいて、同一周波数Ｆ１の自局３０（Ｆ１）に設定されている異周波数測定開始の判定に用いる異周波数測定開始閾値Ｔｈ０を変更するか否かを判断する（図４のＳ１０４）。例えば、地上セル基地局３０（Ｆ１）は、測定報告（ＭＲ）に大ゾーンセル１０Ａ（Ｆ１）の物理セル識別子（ＰＣＩ＝１００）が含まれ、且つ、その測定報告（ＭＲ）に含まれる大ゾーンセル１０Ａ（Ｆ１）からの信号の受信品質（例えば、ＲＳＲＰ又はＲＳＲＱ）の測定値Ｓ１０（Ｆ１）が、初期設定されている規定の異周波数測定開始閾値Ｔｈ０よりも大きい場合に、異周波数測定開始閾値Ｔｈ０を変更すると判断する（図５参照）。なお、このとき、地上セル基地局３０（Ｆ１）は、ゾーンセル１０Ａ（Ｆ１）からの信号の受信品質（例えば、ＲＳＲＰ又はＲＳＲＱ）の測定値が所定のハンドオーバ条件を満たす場合であっても、自局から大ゾーンセル１０Ａ（Ｆ１）へのハンドオーバを要求するＨＯコマンドをＵＥ４３に送信しない。
【００８２】
次に、地上セル基地局３０（Ｆ１）は、上記ステップＳ１０４において異周波数測定開始閾値Ｔｈ０を変更すると判断すると、自局に設定されている規定の異周波数測定開始閾値Ｔｈ０を、例えば異周波数の測定を優先的に行うように高めの異周波数測定開始閾値Ｔｈ０’に変更し、ＵＥ４３に「RRC CONNECTION RECONFIGURATION」を送信する（図４のＳ１０５）。「RRC CONNECTION RECONFIGURATION」には、上記変更後の異周波数測定開始閾値Ｔｈ０'の設定情報が含まれる。
【００８３】
ＵＥ４３は、上記変更後の異周波数測定開始閾値Ｔｈ０’の設定情報を含む「RRC CONNECTION RECONFIGURATION」を受信すると、ＵＥ４３内に保持している規定の異周波数測定開始閾値Ｔｈ０を変更後の異周波数測定開始閾値Ｔｈ０'に上書きして変更し（図４のＳ１０６）、その変更が完了した旨の情報を含む「RRC CONNECTION RECONFIGURATION COMPLETE」を、地上セル基地局３０（Ｆ１）に送信する（図４のＳ１０７）。
【００８４】
次に、地上セル基地局３０（Ｆ１）から受信した信号の受信品質Ｓ３０（Ｆ１）が、変更後の異周波数測定開始閾値Ｔｈ０’よりも小さくなったら（図６参照）、ＵＥ４３は、異周波数Ｆ２での測定を開始するため周波数Ｆ１での測定報告（ＭＲ）を地上セル基地局３０（Ｆ１）に送信する（図４のＳ１０８）。地上セル基地局３０（Ｆ１）は、測定報告（ＭＲ）に含まれている自局の受信品質Ｓ３０（Ｆ１）が、変更後の異周波数測定開始閾値Ｔｈ０’よりも小さくなって居ることを確認し、異周波数Ｆ２での測定を指示する「RRC CONNECTION RECONFIGURATION」をＵＥ４３に送信する（図４のＳ１０９）。この「RRC CONNECTION RECONFIGURATION」には、異周波数Ｆ２での測定によるハンドオーバ制御を行うための各イベント及び閾値の設定情報が含まれる。ＵＥ４３は、異周波数Ｆ２での測定によるハンドオーバ制御を行うための各イベント及び閾値の設定情報を受信した旨の情報を含む「RRC CONNECTION RECONFIGURATION COMPLETE」を、地上セル基地局３０（Ｆ１）に送信する（図４のＳ１１０）。
【００８５】
次に、ＵＥ４３は、異周波数Ｆ２での測定を開始し、所定のイベント（例えば、Ａ３イベント又はＡ５イベント）により、異周波数Ｆ２での測定結果に基づく異周波数間ハンドオーバのための測定結果（ＭＲ）を地上セル基地局３０（Ｆ１）に送信する（図４のＳ１１１）。この測定結果（ＭＲ）は、異周波数Ｆ２で測定した地上セル基地局３０（Ｆ２）からの信号の受信品質の測定結果と受信対象セルのセル識別子とを含む。地上セル基地局３０（Ｆ１）は、ＵＥ４３から受信した測定報告に含まれる異周波数Ｆ２で測定した地上セル基地局３０（Ｆ２）からの信号の受信品質の測定結果に基づいて、異周波数Ｆ２の地上セル３０Ａ（Ｆ２）へのハンドオーバを行うか否かを決定する。例えば、異周波数Ｆ２の地上セル基地局３０（Ｆ２）からの受信品質の測定結果Ｓ３０（Ｆ２）が、地上セル基地局３０（Ｆ１）からの受信品質の測定結果Ｓ３０（Ｆ１）と所定のオフセットとの和よりも大きい場合（図７参照）、地上セル基地局３０（Ｆ１）は、自局から周波数Ｆ２の地上セル３０Ａ（Ｆ２）へのハンドオーバを決定する。
【００８６】
地上セル基地局３０（Ｆ１）は、自局から周波数Ｆ２の地上セル３０Ａ（Ｆ２）へのハンドオーバを決定すると、その自局から周波数Ｆ２の地上セル３０Ａ（Ｆ２）へのハンドオーバを要求するＨＯコマンドを含む「RRC RECONFIGURATION」をＵＥ４３に送信する（図４のＳ１１２）。
【００８７】
ＵＥ４３は、地上セル基地局３０（Ｆ１）から周波数Ｆ２の地上セル３０Ａ（Ｆ２）へのハンドオーバを要求するＨＯコマンドを含む「RRC RECONFIGURATION」を受信すると、そのＨＯコマンドを受信した旨を含む「RRC CONNECTION RECONFIGURATION COMPLETE」を、ハンドオーバ先のターゲットセルの地上セル基地局３０（Ｆ２）に送信する（図４のＳ１１３）。
【００８８】
ターゲットセルの地上セル基地局３０（Ｆ２）は、「RRC CONNECTION RECONFIGURATION COMPLETE」をＵＥ４３から受信すると、異周波数Ｆ２の自局３０（Ｆ２）へのハンドオーバ処理を開始するための「RRC CONNECTION RECONFIGURATION」をＵＥ４３に送信し（図４のＳ１１４）、その応答「RRC CONNECTION RECONFIGURATION COMPLETE」をＵＥ４３から受信する（図４のＳ１１５）。これにより、地上セル基地局３０（Ｆ２）とＵＥ４３との間でその後のハンドオーバのための処理が実行される。
【００８９】
図８は、本実施形態に係る移動通信システムのオーバレイセル構成における異周波数間ハンドオーバ制御の他の例を示すシーケンス図である。図８の例では、判定用パラメータとしての異周波数測定開始閾値Ｔｈ０を変更するか否かの判断を、地上セル基地局３０（Ｆ１）ではなく、大ゾーンセル基地局１０及び地上セル基地局３０を遠隔的に集中管理する管理装置７０が行っている。この例では、地上セル基地局３０（Ｆ１）における負荷を低減することができる。また、異周波数Ｆ２の地上セル基地局３０（Ｆ１）の分布状況や大ゾーンセル１０Ａにおける通信トラフィックの容量の逼迫度などを考慮して異周波数測定開始閾値Ｔｈ０の変更を適切に行うことができる。なお、図８中のステップＳ１０１〜Ｓ１０３及びＳ１０５〜Ｓ１１５は前述の図４と同じであるので、それらの説明を省略する。
【００９０】
図８において、地上セル基地局３０（Ｆ１）は、ＵＥ４３から受信した周波数Ｆ１の測定報告（ＭＲ）を管理装置７０に送信する（図８のＳ１０３’）。管理装置７０は、地上セル基地局３０（Ｆ１）から受信した周波数Ｆ１の測定報告（ＭＲ）に大ゾーンセル１０Ａ（Ｆ１）の物理セル識別子（ＰＣＩ＝１００）が含まれているとき、その測定報告（ＭＲ）に含まれている大ゾーンセル１０Ａ（Ｆ１）からの信号の受信品質（例えば、ＲＳＲＰ又はＲＳＲＱ）の測定値に基づいて、同一周波数Ｆ１の自局３０（Ｆ１）に設定されている異周波数測定開始の判定に用いる異周波数測定開始閾値Ｔｈ０を変更するか否かを判断する（図８のＳ１０４）。例えば、管理装置７０は、測定報告（ＭＲ）に大ゾーンセル１０Ａ（Ｆ１）の物理セル識別子（ＰＣＩ＝１００）が含まれ、且つ、その測定報告（ＭＲ）に含まれる大ゾーンセル１０Ａ（Ｆ１）からの信号の受信品質（例えば、ＲＳＲＰ又はＲＳＲＱ）の測定値Ｓ１０（Ｆ１）が、初期設定されている規定の異周波数測定開始閾値Ｔｈ０よりも大きい場合に、異周波数測定開始閾値Ｔｈ０を変更すると判断する（前述の図５参照）。なお、このとき、管理装置７０は、ゾーンセル１０Ａ（Ｆ１）からの信号の受信品質（例えば、ＲＳＲＰ又はＲＳＲＱ）の測定値が所定のハンドオーバ条件を満たす場合であっても、自局から大ゾーンセル１０Ａ（Ｆ１）へのハンドオーバを要求するＨＯコマンドをＵＥ４３に送信しないようする。
【００９１】
次に、管理装置７０は、上記ステップＳ１０４において異周波数測定開始閾値Ｔｈ０を変更すると判断すると、その判断結果を地上セル基地局３０（Ｆ１）に送信し、地上セル基地局３０（Ｆ１）に設定されている規定の異周波数測定開始閾値Ｔｈ０を、例えば異周波数の測定を優先的に行うように、ＵＥから報告された測定報告（ＭＲ）に含まれる大ゾーンセル１０Ａ（Ｆ１）からの受信レベルよりも高い異周波数測定開始閾値Ｔｈ０’に設定変更する。また例えば、地上セル基地局３０（Ｆ１）に設定されている規定の異周波数測定開始閾値Ｔｈ０は、異周波数の測定を優先的に行わないように、ＵＥから報告された測定報告（ＭＲ）に含まれる大ゾーンセル１０Ａ（Ｆ１）からの受信レベルよりも低い異周波数測定開始閾値Ｔｈ０’に設定変更してもよい。      
【００９２】
以上、本実施形態によれば、大ゾーンセル１０Ａ（Ｆ１）内にセルサイズが小さい複数の地上セル３０Ａ（Ｆ１），３０Ａ（Ｆ２）が位置するオーバレイセル構成において、サービスリンクの下りリンクに大ゾーンセル１０Ａ（Ｆ１）と同一の周波数Ｆ１を用いる地上セル基地局３０（Ｆ１）に接続しているＵＥ４３を、同一周波数Ｆ１の地上セル３０Ａ（Ｆ１）の受信レベルが大ゾーンセル１０Ａ（Ｆ１）よりも低くなった場合、異周波数Ｆ２の地上セル基地局３０（Ｆ１）に優先的にハンドオーバさせることにより、大ゾーンセル１０Ａ（Ｆ１）への通信トラフィックの集中を回避することができる。
【００９３】
なお、上記実施形態において、地上セル基地局３０（Ｆ１）は、前記異周波数測定開始の判定に用いる判定用パラメータ（異周波数測定開始閾値Ｔｈ０、受信品質オフセットＯｆｆｓｅｔ０、又は、その両方）を変更した後、自局に接続しているＵＥ４３から、大ゾーンセル１０Ａ（Ｆ１）のセル識別子（ＰＣＩ）が含まれている測定報告（ＭＲ）を所定回数受信したときに、自局から大ゾーンセル１０Ａ（Ｆ１）へのハンドオーバを要求するＨＯコマンドをＵＥ４３に送信してもよい。
【００９４】
また、上記実施形態において、地上セル基地局３０（Ｆ１）は、大ゾーンセル１０Ａ（Ｆ１）のセル識別子（ＰＣＩ）が含まれている測定報告（ＭＲ）を一定期間内に所定回数受信したときに、自局から大ゾーンセル１０Ａ（Ｆ１）へのハンドオーバを要求するＨＯコマンドをＵＥ４３に送信してもよい。
【００９５】
また、上記実施形態において、変更後の判定用パラメータ（異周波数測定開始閾値Ｔｈ０’、受信品質オフセットＯｆｆｓｅｔ０’、又は、その両方）の値を、地上セル基地局３０（Ｆ１）に接続している複数のＵＥ４３のうち、大ゾーンセル１０Ａ（Ｆ１）のセル識別子（ＰＣＩ）が含まれている測定報告（ＭＲ）送信してきたＵＥ４３の一部又は全部に通知してもよい。ここで、複数のＵＥ４３に通知する変更後の判定用パラメータ（異周波数測定開始閾値Ｔｈ０’、受信品質オフセットＯｆｆｓｅｔ０’、又は、その両方）の値は、ＵＥ４３間で互いに同じ値であってもよいし、ＵＥ４３間で互いに異なる値であってもよい。
【００９６】
また、上記実施形態において、判定用パラメータ（異周波数測定開始閾値Ｔｈ０、受信品質オフセットＯｆｆｓｅｔ０、又は、その両方）の値は、前述の図４〜図８の例のように異周波数Ｆ２の地上セル３０Ａ（Ｆ２）への接続を優先する場合は、異周波数測定開始のタイミングを早くするように変更する。例えば、上記異周波数測定開始閾値Ｔｈ０の値を、ＵＥから報告された測定報告（ＭＲ）に含まれる大ゾーンセルからの受信レベルよりも高い値に変更してもよい。
【００９７】
逆に、大ゾーンセル１０Ａ（Ｆ１）への接続を優先する場合は、上記判定用パラメータの値は異周波数測定開始のタイミングを遅くするように変更してもよい。例えば、上記異周波数測定開始閾値Ｔｈ０の値を、ＵＥから報告された測定報告（ＭＲ）に含まれる大ゾーンセルからの受信レベルよりも、低い値に変更してもよい。
【００９８】
また、上記実施形態において、判定用パラメータ（異周波数測定開始閾値Ｔｈ０、受信品質オフセットＯｆｆｓｅｔ０、又は、その両方）の値は、同一周波数Ｆ１の地上セル基地局３０（Ｆ１）の周辺における異周波数Ｆ２の地上セル基地局３０（Ｆ２）の周波数リソース空き状況に基づいて動的に変更してもよい。例えば、同一周波数Ｆ１の地上セル基地局３０（Ｆ１）の周辺における異周波数Ｆ２の地上セル基地局３０（Ｆ２）の通信トラフィック量が少なく周波数リソースに余裕がある場合（例えば、周波数リソースに空きがある場合、又は、周波数リソースの空きが所定の閾値以上の場合）においては異周波数測定開始閾値Ｔｈ０を上げて異周波数Ｆ２の地上セル基地局３０（Ｆ２）へハンドオーバしやすくし、異周波数Ｆ２の地上セル基地局３０（Ｆ２）の通信トラフィック量が増大し周波数リソースに余裕がない場合（例えば、周波数リソースに空きがない場合、又は、周波数リソースの空きが所定の閾値未満の場合）においては異周波数測定開始閾値Ｔｈ０を下げて異周波数Ｆ２の地上セル基地局３０（Ｆ２）へハンドオーバしにくくしてもよい。
【００９９】
また、上記実施形態において、異周波数測定開始閾値Ｔｈ０又は受信品質オフセットＯｆｆｓｅｔ０は、大ゾーンセル１０Ａ（Ｆ１）の通信容量（通信トラフィック量）の負荷状況の変化に基づいて動的に変更してもよい。
【０１００】
例えば、上記実施形態において、大ゾーンセル１０Ａの通信トラフィック量が大きい場合（例えば、通信トラフィック量が所定のトラフィック閾値Ｔｈｔ以上の場合）においては、異周波数測定開始閾値Ｔｈ０を上げて異周波数Ｆ２の地上セル基地局３０（Ｆ２）へハンドオーバしやすくし、大ゾーンセル１０Ａの通信トラフィック量が少ない場合（例えば、通信トラフィック量が所定のトラフィック閾値Ｔｈｔ未満の場合）においては、異周波数測定開始閾値Ｔｈ０を下げて異周波数Ｆ２の地上セル基地局３０（Ｆ２）へハンドオーバしにくくしてもよい。
【０１０１】
また、上記実施形態では、判定用パラメータとして異周波数測定開始閾値Ｔｈ０の値を変更する場合について主に説明したが、判定用パラメータとして、大ゾーンセル１０Ａからの信号の受信品質のレベルの測定値に対して加算又は減算する受信品質オフセットＯｆｆｓｅｔ０の値を変更してもよいし、異周波数測定開始閾値Ｔｈ０及び受信品質オフセットＯｆｆｓｅｔ０の両方の値を変更してもよい。
【０１０２】
また、上記実施形態において、大ゾーンセル１０Ａ（Ｆ１）への接続を優先したいエリアについては、前述の変更の条件を満たす場合であっても、判定用パラメータ（異周波数測定開始閾値Ｔｈ０、受信品質オフセットＯｆｆｓｅｔ０、又は、その両方）を変更しないようにしてもよい。
【０１０３】
また、本実施形態では、地上セル（スモールセル２０Ａ，マクロセル３０Ａ）及び大ゾーンセル１０Ａのオーバレイセル構成の場合について説明したが、この構成に限定されることなく、本発明は、互いにサイズが異なる複数のセルのオーバレイセル構成について適用することができる。
【０１０４】
また、本実施形態では、ＬＴＥ／ＬＴＥ−Ａｄｖａｎｃｅｄへの適用を前提に説明したが、ＬＴＥ／ＬＴＥ−Ａｄｖａｎｃｅｄと類似の下りリンクの無線通信を用いるシステムであれば、本発明の概念はどのようなシステムにも適用可能であり、さらに本実施形態に示した送信機および受信機の構成に限定されない。
【０１０５】
また、本明細書で説明された処理工程並びに移動通信システム、管理装置、大ゾーンセル基地局、地上セル基地局（スモールセル基地局、マクロセル基地局）及び移動局（ユーザ装置、端末装置、ユーザ端末装置）の構成要素は、様々な手段によって実装することができる。例えば、これらの工程及び構成要素は、ハードウェア、ファームウェア、ソフトウェア、又は、それらの組み合わせで実装されてもよい。
【０１０６】
ハードウェア実装については、実体（例えば、各種の無線通信装置、有線又は無線のネットワーク通信装置、Ｎｏｄｅ Ｂ、ＢＢＵ、ＲＲＨ、端末、通信モジュール、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【０１０７】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、フラッシュメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【０１０８】
また、前記媒体は非一時的な記録媒体であってもよい。また、前記プログラムのコードは、コンピュータ、プロセッサ、又は他のデバイス若しくは装置機械で読み込んで実行可能であればよく、その形式は特定の形式に限定されない。例えば、前記プログラムのコードは、ソースコード、オブジェクトコード及びバイナリコードのいずれでもよく、また、それらのコードの２以上が混在したものであってもよい。
【０１０９】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【０１１０】
１０  大ゾーンセル基地局
１０（Ｆ１）  周波数Ｆ１の大ゾーンセル基地局
１０Ａ  大ゾーンセル
１０Ａ（Ｆ１）  周波数Ｆ１の大ゾーンセル
１５  通信中継装置
２０  地上セル基地局
２０Ａ  地上セル（スモールセル）
３０，３１  地上セル基地局
３０（Ｆ１），３１（Ｆ１）  同一周波数Ｆ１の地上セル基地局（第２基地局）
３０（Ｆ２），３１（Ｆ２）  異周波数Ｆ２の地上セル基地局（第３基地局）
３０（Ｆ１，Ｆ２），３１（Ｆ１，Ｆ２）  周波数Ｆ１，Ｆ２に共用の地上セル基地局
３０Ａ，３１Ａ  地上セル（マクロセル）
３０Ａ（Ｆ１），３１Ａ（Ｆ１）  同一周波数Ｆ１の地上セル（マクロセル）
３０Ａ（Ｆ２），３１Ａ（Ｆ２）  異周波数Ｆ２の地上セル（マクロセル）
４１  大ゾーンセル（第１セル）に接続されたＵＥ
４２  地上セル（スモールセル）に接続されたＵＥ
４３  地上セル（マクロセル）に接続されたＵＥ
【要約】
【課題】第１セルと同一周波数の第２セルと異周波数の第３セルとが互いに少なくとも一部重複しているオーバレイセル構成において第１セルへの通信トラフィックの集中を回避する。
【解決手段】同一周波数の第２基地局に接続している移動局が報告した同一周波数で測定された受信品質のレベルの測定結果及び受信対象セルのセル識別子を含む測定報告（ＭＲ）を取得し、測定報告（ＭＲ）に第１セルのセル識別子が含まれているとき、当該測定報告（ＭＲ）に含まれている第１セルからの信号の受信品質のレベルの測定値に基づいて、同一周波数の第２基地局に設定されている異周波数測定開始の判定に用いる判定用パラメータの値を変更するか否かを判断し、前記判断の結果に基づいて前記判定用パラメータの値を変更する。
【選択図】図６【図１】
0006986604.tif 000003
【図２】
0006986604.tif 000004
【図３】
0006986604.tif 000005
【図４】
0006986604.tif 000006
【図５】
0006986604.tif 000007
【図６】
0006986604.tif 000008
【図７】
0006986604.tif 000009
【図８】
0006986604.tif 000010